(57)【要約】【課題】１つの光源に別の単色発光源を付設する構成の照明装置において、１つ光を出射する光源の出射光と、別の単色発光源の出射光とを確実に混光できるようにする。【解決手段】複数の単色発光源Ｂ，Ｇ，Ｒを並べて配置して成りそれら単色発光源Ｂ，Ｇ，Ｒからの光を混光して所定の光出射範囲で出射する第１光源２９Ａと、複数の単色発光源Ｂ，Ｇ，Ｒと異なる色で発光する他の単色発光源Ｃからの光を所定の光出射範囲で出射する第２光源３０Ａとを有する照明装置である。第２光源３０Ａの光出射範囲は第１光源２９Ａの光出射範囲よりも広く設定される。光出射範囲が広い光は、光出射範囲が狭い光に対して容易に混光する。【選択図】図６
2007287384.tif 000002
【特許請求の範囲】
【請求項１】
複数の単色発光源を並べて配置して成りそれら複数の単色発光源からの光を混光して所
定の光出射範囲で出射する第１光源と、
前記複数の単色発光源と異なる色で発光する他の単色発光源からの光を所定の光出射範
囲で出射する第２光源とを有し、
前記第２光源の光出射範囲は前記第１光源の光出射範囲よりも広い
ことを特徴とする照明装置。
【請求項２】
請求項１記載の照明装置において、前記第１光源内の前記複数の単色発光源、及び前記
第２光源内の前記他の単色発光源の少なくとも一方は発光ダイオードであることを特徴と
する照明装置。
【請求項３】
請求項１又は請求項２記載の照明装置において、
前記第１光源は、前記複数の単色発光源を覆う透明樹脂と、該透明樹脂の光出射部に設
けられたレンズとを有し、又は、
前記第２光源は、前記他の単色発光源を覆う透明樹脂と、該透明樹脂の光出射部に設け
られたレンズとを有し、又は、
前記第１光源は、前記複数の単色発光源を覆う透明樹脂と、該透明樹脂の光出射部に設
けられたレンズとを有し、且つ、前記第２光源は、前記他の単色発光源を覆う透明樹脂と
、該透明樹脂の光出射部に設けられたレンズとを有する、
ことを特徴とする照明装置。
【請求項４】
請求項３記載の照明装置において、
前記レンズは、前記透明樹脂と別体のレンズであるか、又は、前記透明樹脂によって形
成されたレンズである
ことを特徴とする照明装置。
【請求項５】
請求項３又は請求項４において、前記レンズは光出射範囲を広げるレンズであることを
特徴とする照明装置。
【請求項６】
請求項１から請求項５のいずれか１つに記載の照明装置において、
前記第１光源内の前記複数の単色発光源は、Ｂ（青色）発光源、Ｇ（緑色）発光源、Ｒ
（赤色）発光源の組合せであり、
前記第２光源内の他の単色発光源は、黄色からシアン色にかけて変化する色の中から選
択された１つの光を発光する単色発光源である
ことを特徴とする照明装置。
【請求項７】
請求項１から請求項６のいずれか１つに記載の照明装置において、前記第１光源と前記
第２光源は互いに隣り合わせで並ぶことを特徴とする照明装置。
【請求項８】
青色発光源の出射光をＹＡＧ（イットリウム・アルミニウム・ガーネット）蛍光体を通
して所定の光出射範囲で出射する第１光源と、
前記青色発光源と異なる色で発光する他の単色発光源からの光を所定の光出射範囲で出
射する第２光源とを有し、
前記第２光源の光出射範囲は前記第１光源の光出射範囲よりも広い
ことを特徴とする照明装置。
【請求項９】
請求項８記載の照明装置において、前記第１光源内の前記青色発光源、及び前記第２光
源内の前記他の単色発光源の少なくとも一方は発光ダイオードであることを特徴とする照
明装置。
【請求項１０】
請求項８又は請求項９記載の照明装置において、
前記第１光源は、前記青色発光源を覆うと共に前記ＹＡＧ蛍光体を含む透明樹脂と、該
透明樹脂の光出射部に設けられたレンズとを有し、又は、
前記第２光源は、前記他の単色発光源を覆う透明樹脂と、該透明樹脂の光出射部に設け
られたレンズとを有し、又は、
前記第１光源は、前記青色発光源を覆うと共に前記ＹＡＧ蛍光体を含む透明樹脂と、該
透明樹脂の光出射部に設けられたレンズとを有し、且つ、前記第２光源は、前記他の単色
発光源を覆う透明樹脂と、該透明樹脂の光出射部に設けられたレンズとを有する、
ことを特徴とする照明装置。
【請求項１１】
請求項１０記載の照明装置において、
前記レンズは、前記透明樹脂と別体なレンズであるか、又は、前記透明樹脂によって形
成されたレンズである
ことを特徴とする照明装置。
【請求項１２】
請求項１０又は請求項１１記載の照明装置において、前記レンズは光出射範囲を広げる
レンズであることを特徴とする照明装置。
【請求項１３】
請求項８から請求項１２のいずれか１つに記載の照明装置において、
前記他の単色発光源は、（１）緑色、（２）黄色、（３）黄色からシアン色にかけて変
化する色の中から選択された１色、又は（４）赤色である
ことを特徴とする照明装置。
【請求項１４】
請求項８から請求項１３のいずれか１つに記載の照明装置において、前記第１光源と前
記第２光源は互いに隣り合わせで並ぶことを特徴とする照明装置。
【請求項１５】
液晶パネルと、該液晶パネルを照明する照明装置とを有する液晶装置において、前記照
明装置は請求項１から請求項１４のいずれか１つに記載の照明装置であることを特徴とす
る液晶装置。
【請求項１６】
請求項１５記載の液晶装置において、
複数色の着色膜を有すると共に前記照明装置によって照明されるカラーフィルタをさら
に有し、
前記第２光源の出射光の波長は前記カラーフィルタのスペクトルに含まれるピークの波
長とほぼ一致する
ことを特徴とする液晶装置。
【請求項１７】
請求項１５又は請求項１６記載の液晶装置を有することを特徴とする電子機器。
【発明の詳細な説明】
【技術分野】
【０００１】
本発明は、光を出射する照明装置、その照明装置を用いた液晶装置、及びその液晶装置
を用いた電子機器に関する。
【背景技術】
【０００２】
現在、携帯電話機、携帯情報端末機、液晶テレビ等といった電子機器に液晶装置が広く
用いられている。例えば、各種の情報を画像として表示するために液晶装置が用いられて
いる。液晶装置は、液晶層を通過する光を変調することにより画像を表示する電気光学装
置である。液晶層に光を供給するために、液晶装置に照明装置が付設されることがある。
【０００３】
照明装置として、従来、複数の単色発光源を並べることによって形成された光源部を有
するものが知られている（例えば、特許文献１参照）。この照明装置は、Ｂ（青色）、Ｇ
（緑色）、Ｒ（赤色）の各色のＬＥＤ（Light Emitting Diode）を発光源として有してい
る。この照明装置において用いられているＢ，Ｇ，Ｒの各色のＬＥＤの数は互いに異なっ
ている。そして、ＬＥＤの数がそのように色ごとに異なっていることに対応して、各色の
ＬＥＤの配光特性、すなわち光出射範囲が色ごとに異ならせてある。
【０００４】
特許文献１に開示された照明装置は、複数の単色発光源から光を出射することにより、
スペクトル上で異なる波長部分にピークを有する出射光を生成する。このようにスペクト
ル上で異なる波長部分にピークを有する出射光を生成する光源として、図４に符号２９Ａ
で示すものが知られている。この光源２９Ａは、複数の単色発光源を１つの光源ユニット
内に一体に配置することによって形成されている。この光源ユニットは、内蔵する複数の
単色発光源からの光が混光した状態の光を出射する。例えば、複数の単色発光源が、Ｂ，
Ｇ，Ｒのそれぞれの単色発光源であれば、光源ユニットはＢ，Ｇ，Ｒが混光することによ
り白色光を出射する。
【０００５】
【特許文献１】特開２００５−１９６９８９号公報（第９〜１０頁、図２）
【発明の開示】
【発明が解決しようとする課題】
【０００６】
ところで、近年、照明装置の出射光として多種類のピーク波長成分を有する光が望まれ
ている。例えば、照明装置によってカラーフィルタを照明する場合を考えることにする。
カラーフィルタは、複数の異なる色の着色膜によって形成される光学要素である。従来、
カラーフィルタにはＢ，Ｇ，Ｒの３色の着色膜が用いられていた。しかし、最近では、よ
り多くの色の着色膜を使用したいという要望が出ている。例えば、Ｂ，Ｇ，Ｒの３色に加
えてシアン色の着色膜を用いた、いわゆる４色カラーフィルタを用いることが望まれてい
る。このように多種類の色の着色膜を有するカラーフィルタに照明装置からの光を照射す
る場合には、照明装置から多種類のピーク波長成分を有する光が出射されることが望まれ
る。
【０００７】
図４に示した光源２９Ａを用いて照明装置を構成する場合であって、その照明装置から
多種類のピーク波長成分を有する光を出射しようとするときには、例えば、付加しようと
する色の単色発光源を図４に示す光源２９Ａの近傍に付設することが考えられる。しかし
ながら、ただ単純に単色光源を光源２９Ａの近傍に配置するということだけでは、光源２
９Ａの出射光と、その光源２９Ａに付設された単色光源の出射光とを混光させることが難
しいと考えられる。
【０００８】
本発明は、上記の問題点に鑑みて成されたものであって、１つのまとまった光を出射す
る光源に別の単色発光源を付設する構成を有する照明装置、液晶装置、及び電子機器にお
いて、１つのまとまった光を出射する光源の出射光と、別の単色発光源の出射光とを確実
に混光できるようにすることを目的とする。
【課題を解決するための手段】
【０００９】
本発明に係る第１の照明装置は、複数の単色発光源を並べて配置して成りそれら複数の
単色発光源からの光を混光して所定の光出射範囲で出射する第１光源と、前記複数の単色
発光源と異なる色で発光する他の単色発光源からの光を所定の光出射範囲で出射する第２
光源とを有し、前記第２光源の光出射範囲は前記第１光源の光出射範囲よりも広いことを
特徴とする。
【００１０】
上記構成において、第１光源に内蔵される複数の単色発光源としては、例えば、Ｂ（青
色）発光源、Ｇ（緑色）発光源、Ｒ（赤色）発光源の組合せが考えられる。第１光源内に
Ｂ，Ｇ，Ｒの発光源を設けるものとすれば、第２光源に内蔵される単色発光源としては、
例えば、シアン色の発光源を設けることができる。なお、発光源としては、例えば、発光
ダイオード（ＬＥＤ：Light Emitting Diode）、冷陰極管、有機ＥＬ（Electro Luminesc
ence）を適用できる。
【００１１】
第１光源や第２光源からの光出射範囲を広げたり、狭くしたりするための構成は、特別
の構成に限定されるものではない。例えば、第１光源や第２光源の光出射部の開口面積を
調節することにより光出射範囲を調節できる。また、第１光源や第２光源の内部に設けら
れた発光源の周囲に設けられる枠部分（すなわち、ケーシング）の形状を工夫することに
より光出射範囲を調節できる。また、第１光源や第２光源の光出射部にレンズ（すなわち
、光屈折要素）を設けることにより光出射範囲を調節できる。
【００１２】
上記構成の本発明に係る照明装置によれば、第１光源から主なる光が出射され、その主
となる光に混ざり合う光が第２光源から出射される。本発明では混ざり合う光を出射する
第２光源の光出射範囲を、第１光源の光出射範囲よりも広く設定したので、第２光源から
の光を第１光源からの光に効果的に混光させることができる。そしてこれにより、照明装
置からの出射光に関して輝度ムラを低減できる。
【００１３】
次に、本発明に係る第１の照明装置において、前記第１光源内の前記複数の単色発光源
、及び前記第２光源内の前記他の単色発光源の少なくとも一方は発光ダイオードであるこ
とが望ましい。発光ダイオードは、冷陰極管、有機ＥＬ等といった他の発光要素に比べて
、発光強度の制御が容易である。例えば、発光ダイオードに供給する電流のパルス幅を制
御することにより発光ダイオードの発光強度を容易に正確に制御できる。従って、前記第
１光源内の前記複数の単色発光源、及び前記第２光源内の他の単色発光源の少なくとも一
方を発光ダイオードによって形成すれば、混光の条件を最良の状態に容易に設定できる。
【００１４】
次に、本発明に係る第１の照明装置において、（１）前記第１光源は、前記複数の単色
発光源を覆う透明樹脂と、該透明樹脂の光出射部に設けられたレンズとを有するか、又は
、（２）前記第２光源は、前記他の単色発光源を覆う透明樹脂と、該透明樹脂の光出射部
に設けられたレンズとを有するか、又は、（３）前記第１光源は、前記複数の単色発光源
を覆う透明樹脂と、該透明樹脂の光出射部に設けられたレンズとを有し、且つ、前記第２
光源は、前記他の単色発光源を覆う透明樹脂と、該透明樹脂の光出射部に設けられたレン
ズとを有することが望ましい。
このように第１光源及び／又は第２光源にレンズを設ければ、第１光源の光出射範囲及
び／又は第２光源の光出射範囲を必要に応じて広く又は狭く制御できる。
【００１５】
次に、本発明に係る第１の照明装置において、前記レンズは、前記透明樹脂と別体のレ
ンズであるか、又は、前記透明樹脂によって形成されたレンズであることが望ましい。レ
ンズを透明樹脂と別体に設けることにすれば、レンズの選択の自由度を上げることができ
る。また、レンズを透明樹脂によって形成することにすれば、レンズとして特別の材料が
不要であるので、材料コスト及び組立てコストが上がることを防止できる。なお、透明樹
脂によってレンズを形成することは、透明樹脂の表面形状を凸曲面や凹曲面とすることに
よって達成できる。
【００１６】
次に、本発明に係る第１の照明装置において、前記レンズは光出射範囲を広げるレンズ
であることが望ましい。本発明の要旨は、第２光源の光出射範囲を第１光源の光出射範囲
よりも広くすることであり、レンズを設けることは必須要件ではないし、光出射範囲を広
げるレンズを設けることも必須要件ではないし、光出射範囲を狭くするレンズを設けるこ
とも必須要件ではない。しかしながら、光出射範囲を広げるレンズによって第１光源及び
第２光源の光出射範囲を調節することは、簡単であり、容易に実現可能であると考えられ
る。
【００１７】
次に、本発明に係る第１の照明装置において、前記第１光源内の前記複数の単色発光源
は、Ｂ（青色）発光源、Ｇ（緑色）発光源、Ｒ（赤色）発光源の組合せとすることができ
る。そして、その場合、前記第２光源内の他の単色発光源は、黄色からシアン色にかけて
変化する色の中から選択された１つの光を発光する単色発光源であることが望ましい。黄
色からシアン色にかけて変化する色の中から選択された１つの光としては、例えば、エメ
ラルドグリーン、黄緑等が考えられる。
【００１８】
第１光源内に設けられた単色発光源がＢ，Ｇ，Ｒの各色である場合、第１光源からはそ
れらの混色である白色光が出射される。しかしながら、この白色光によって、例えばＢ（
青），Ｇ（緑），Ｒ（赤），Ｃ（シアン）の４色着色膜から成るカラーフィルタを照明（
すなわち、光の供給）する場合には、そのカラーフィルタを透過した光がＣ（シアン）の
波長部分で暗くなってしまうという不都合が生じるおそれがある。これに対し、本発明態
様のようにＢ，Ｇ，Ｒの第１光源にシアンの第２光源を付設すれば、４色カラーフィルタ
を透過する光に関してシアン部分を明るく表示できる。しかも、シアンの第２光源の光出
射範囲を第１光源の光出射範囲よりも広くすれば、白色にシアン色を十分に混色できるの
で、色ムラのない表示を実現できる。
【００１９】
次に、本発明に係る第１の照明装置において、前記第１光源と前記第２光源は互いに隣
り合わせで並ぶことが望ましい。この構成によれば、第１光源の出射光と第２光源の出射
光とを効果的に混光させることができる。
【００２０】
次に、本発明に係る第２の照明装置は、青色発光源の出射光をＹＡＧ（イットリウム・
アルミニウム・ガーネット）蛍光体を通して所定の光出射範囲で出射する第１光源と、前
記青色発光源と異なる色で発光する他の単色発光源からの光を所定の光出射範囲で出射す
る第２光源とを有し、前記第２光源の光出射範囲は前記第１光源の光出射範囲よりも広い
ことを特徴とする。
【００２１】
前記第１の照明装置においては、第１光源が複数の単色発光源を含み、それらの単色発
光源からの個々の光の混光が第１光源の出射光として出射されるものであった。これに対
し、上記第２の照明装置においては、第１光源は青色発光源とＹＡＧ蛍光体とによって構
成された、いわゆる白色光源となっている。
【００２２】
上記構成の本発明に係る第２の照明装置においても、既述の第１の照明装置の場合と同
じく、第１光源から出射される主となる光（第２の照明装置の場合は白色光）に混ぜよう
とする光を出射する第２光源の光出射範囲を、その第１光源の光出射範囲よりも広く設定
したので、第２光源からの光を第１光源からの光に効果的に混光させることができる。そ
してこれにより、照明装置からの出射光に関して輝度ムラを低減できる。
【００２３】
次に、本発明に係る第２の照明装置において、前記第１光源内の前記青色発光源、及び
前記第２光源内の前記他の単色発光源の少なくとも一方は発光ダイオードであることが望
ましい。発光ダイオードは、冷陰極管、有機ＥＬ等といった他の発光要素に比べて、発光
強度の制御が容易であるので、発光源を発光ダイオードによって形成すれば、第１光源と
第２光源との混光の条件を最良の状態に容易に設定できる。
【００２４】
次に、本発明に係る第２の照明装置において、（１）前記第１光源は、前記青色発光源
を覆うと共に前記ＹＡＧ蛍光体を含む透明樹脂と、該透明樹脂の光出射部に設けられたレ
ンズとを有するか、又は、（２）前記第２光源は、前記他の単色発光源を覆う透明樹脂と
、該透明樹脂の光出射部に設けられたレンズとを有するか、又は、（３）前記第１光源は
、前記青色発光源を覆うと共に前記ＹＡＧ蛍光体を含む透明樹脂と、該透明樹脂の光出射
部に設けられたレンズとを有し、且つ、前記第２光源は、前記他の単色発光源を覆う透明
樹脂と、該透明樹脂の光出射部に設けられたレンズとを有する、ことが望ましい。
このように第１光源及び／又は第２光源にレンズを設ければ、第１光源の光出射範囲及
び／又は第２光源の光出射範囲を必要に応じて広く又は狭く制御できる。
【００２５】
次に、本発明に係る第２の照明装置において、前記レンズは、前記透明樹脂と別体のレ
ンズであるか、又は、前記透明樹脂によって形成されたレンズであることが望ましい。レ
ンズを透明樹脂と別体に設けることにすれば、レンズの選択の自由度を上げることができ
る。また、レンズを透明樹脂によって形成することにすれば、レンズとして特別の材料が
不要であるので、材料コスト及び組立てコストが上がることを防止できる。なお、透明樹
脂によってレンズを形成することは、透明樹脂の表面形状を凸曲面や凹曲面とすることに
よって達成できる。
【００２６】
次に、本発明に係る第２の照明装置において、前記レンズは光出射範囲を広げるレンズ
であることが望ましい。光出射範囲を広げるレンズによって第１光源及び第２光源の光出
射範囲を調節することは、簡単であり、容易に実現可能である。
【００２７】
次に、本発明に係る第２の照明装置において、前記他の単色発光源は、（１）緑色、（
２）黄色、（３）黄色からシアン色にかけて変化する色の中から選択された１色、又は（
４）赤色であることが望ましい。青色発光源とＹＡＧ蛍光体とを有する第１光源は青色波
長部分とＹＡＧ蛍光部分とにピークを持つ白色光を出射する。この白色光は緑色、黄色、
シアン色、赤色にかけての波長部分の光強度が低くなっている。従って、この第１光源に
加えて上記（１）から（４）に記載した色を発光する第２光源を設ければ、照明装置の出
射光の所望の波長部分の光強度を補償できる。
【００２８】
次に、本発明に係る第２の照明装置において、前記第１光源と前記第２光源は互いに隣
り合わせで並ぶことが望ましい。この構成によれば、第１光源の出射光と第２光源の出射
光とを効果的に混光させることができる。
【００２９】
次に、本発明に係る液晶装置は、液晶パネルと、該液晶パネルを照明する照明装置とを
有する液晶装置において、前記照明装置は以上に記載した構成の照明装置であることを特
徴とする。液晶パネルは、例えば、一対の基板と、それらの基板間に設けられた液晶層と
、液晶層を挟持するようにそれらの基板のそれぞれの内部表面に設けられた電極と、それ
らの基板の少なくとも一方の外部表面に設けられた偏光板とを有する。また、上記一対の
基板の一方の内部表面には、異なった色の複数の着色膜から成るカラーフィルタが設けら
れる。上記の照明装置は液晶パネルを照明するものであり、換言すれば、カラーフィルタ
へ光を供給するものである。白色光がカラーフィルタを透過するときに、光の色が選択さ
れてカラー表示が行われる。
【００３０】
本発明に係る照明装置によれば、第２光源からの光を第１光源からの光に効果的に混光
させることができるので、照明装置からの出射光に関して必要な波長部分の光強度を第２
光源からの光によって高めることができる。従って、カラーフィルタに含まれる着色膜の
色の種類が増える場合でも、その増えた色に対応させて照明装置の出射光の対応する波長
部分の光強度を高めることができ、そのため、液晶装置によって行われるカラー表示にお
いて特定の波長部分の光が暗くなることを防止できる。
【００３１】
次に、本発明に係る液晶装置は、複数色の着色膜を有すると共に前記照明装置によって
照明されるカラーフィルタをさらに有することができる。そして、その場合、前記第２光
源の出射光の波長は前記カラーフィルタのスペクトルに含まれるピークの波長とほぼ一致
することが望ましい。この構成によれば、カラーフィルタを構成する着色膜の色に対応す
る光を照明装置から十分な強度で供給できる。
【００３２】
次に、本発明に係る電子機器は、以上に記載した構成の液晶装置を有することを特徴と
する。以上に記載した本発明に係る液晶装置によれば、カラー表示を行う場合に特定波長
の色が暗くなることを防止でき、明るいカラー表示を得ることができる。従って、この液
晶装置を用いて構成される電子機器においても、明るいカラー表示を得ることができる。
このような電子機器としては、例えば、携帯電話機、携帯情報端末機、液晶テレビ等が考
えられる。
【発明を実施するための最良の形態】
【００３３】
（照明装置及び液晶装置の第１実施形態）
本発明に係る第１の照明装置は、複数の単色発光源を並べて配置して成りそれら複数の
単色発光源からの光を混光して所定の光出射範囲で出射する第１光源と、前記複数の単色
発光源と異なる色で発光する他の単色発光源からの光を所定の光出射範囲で出射する第２
光源とを有し、前記第２光源の光出射範囲は前記第１光源の光出射範囲よりも広いことを
特徴とする照明装置である。また、本発明に係る液晶装置はその第１の照明装置を用いた
液晶装置である。
【００３４】
以下、本発明に係る第１の照明装置及びそれを用いた液晶装置を実施形態に基づいて説
明する。なお、本発明がこの実施形態に限定されないことはもちろんである。また、これ
からの説明では必要に応じて図面を参照するが、この図面では、複数の構成要素から成る
構造のうち重要な構成要素を分かり易く示すため、各要素を実際とは異なった相対的な寸
法で示す場合がある。
【００３５】
図１は、本発明に係る液晶装置の平面構造を示している。図１では表示の単位領域であ
るサブ画素Ｄを模式的に拡大して示している。互いに隣接する４つのサブ画素Ｄによって
１つの表示画素Ｇが形成されている。図２は液晶装置を構成する液晶パネル及び照明装置
の断面構造を示しており、液晶パネルは図１のＺ１−Ｚ１線に従った断面構造を示し、照
明装置は図１のＺ２−Ｚ２線に従った断面構造を示している。
【００３６】
図２において、液晶装置１は、液晶パネル２と、この液晶パネル２に付設された照明装
置３とを有する。液晶パネル２は、素子基板４と、カラーフィルタ基板５とを有する。素
子基板４とカラーフィルタ基板５は、矢印Ａ方向から見て環状のシール材７によって間隙
を空けて貼り合わされている。この間隙が、いわゆるセルギャップである。セルギャップ
は、素子基板４とカラーフィルタ基板５との間に設けられた多数のスペーサ（図示せず）
によって保持される。このセルギャップ内に液晶が封止されて液晶層８が形成されている
。液晶としては、例えば、ＴＮ（Twisted Nematic）液晶が用いられる。
【００３７】
図１において、素子基板４は紙面奥側に設けられており、カラーフィルタ基板５は紙面
手前側に設けられている。液晶パネル２の内部に設けられる電極や配線は、本来、カラー
フィルタ基板５の存在によって外部から見えない要素であるが、図１では便宜的に電極、
配線等を実線で示している。
【００３８】
図２において素子基板４は、透光性のガラス、透光性のプラスチック等によって形成さ
れた透光性基板４ａを有し、その透光性基板４ａの外側表面に第１偏光板９ａが貼着され
ている。透光性基板４ａの内側表面には、図１に示すように、複数のソース線１１、複数
のゲート線１２、複数のスイッチング素子としてのＴＦＴ（Thin Film Transistor）素子
１３、及び複数の画素電極１４が設けられている。ソース線１１及びゲート線１２はＴＦ
Ｔ素子１３を構成する導電材料と同じ材料によって形成されている。また、画素電極１４
は、ＩＴＯ（Indium Tin Oxide）等といった透明導電材料によって形成されている。
【００３９】
素子基板４は、カラーフィルタ基板５の一辺から外側へ張り出す張出し部１５を有し、
この張出し部１５の辺端に外部接続用端子１６が設けられている。また、張出し部１５の
表面に駆動用ＩＣ１７が周知のＣＯＧ（Chip On Glass）技術を用いて実装されている。
駆動用ＩＣ１７の入力側の端子（図示せず）は外部接続用端子１６の一端に電気的に接続
されている。張出し部１５の辺端にはＦＰＣ（Flexible Printed Circuit）基板１８が実
装されており、外部接続用端子１６の他端がこのＦＰＣ基板１８内の配線と電気的に接続
されている。ＦＰＣ基板１８は、例えば、携帯電話機等といった電子機器内の制御回路に
接続される。
【００４０】
複数のソース線１１は、列方向Ｙに延在し且つ行方向Ｘに適宜の間隔で並べて設けられ
ている。各ソース線１１の張出し部１５側の一端は駆動用ＩＣ１７の出力側の端子（図示
せず）に電気的に接続されている。複数のゲート線１２は、行方向Ｘに延在し且つ列方向
Ｙに適宜の間隔で並べて設けられている。各ゲート線１２から延びる引回し配線１２ａの
張出し部１５側の一端は駆動用ＩＣ１７の出力側の端子（図示せず）に電気的に接続され
ている。
【００４１】
複数のＴＦＴ素子１３は、それぞれ、ソース線１１とゲート線１２とが交差する部分の
近傍に設けられている。３端子型のスイッチング素子であるＴＦＴ素子１３の各端子は、
それぞれ、ソース線１１、ゲート線１２、そして画素電極１４に電気的に接続される。各
ＴＦＴ素子１３及び各画素電極１４は、各サブ画素Ｄに対応する領域内に設けられている
。
【００４２】
１つの表示画素Ｇが行方向Ｘ及び列方向Ｙに複数個、マトリクス状に並べられて成る鎖
線で囲まれた領域が表示領域Ｖであり、この表示領域Ｖ内に文字、数字、図形等といった
画像が表示される。なお、液晶パネル２の平面領域内であって表示領域Ｖの外側の枠状の
領域は表示に寄与しない領域、いわゆる額縁領域Ｆである。
【００４３】
素子基板４上に形成されるソース線１１、ゲート線１２、及びそれらから延びる配線は
、図２においては図示を省略してある。また、素子基板４の構成要素である透光性基板４
ａの内部表面には、ＴＦＴ素子１３、画素電極１４以外に、ＴＦＴ素子１３と画素電極１
４とを電気的に絶縁する層間絶縁膜や、配向膜等が設けられるが、図２ではそれらの図示
を省略してある。
【００４４】
次に、図２において、カラーフィルタ基板５は、透光性のガラス、透光性のプラスチッ
ク等によって形成された透光性基板５ａを有し、その透光性基板５ａの外側表面に第２偏
光板９ｂが貼着されている。この第２偏光板９ｂの偏光透過軸と素子基板４側の第１偏光
板９ａの偏光透過軸は、液晶駆動モードの種類に対応した適宜の相対的な角度に設定され
ている。
【００４５】
透光性基板５ａの内部表面には、遮光膜１９が矢印Ａ方向から見て行方向Ｘ及び列方向
Ｙのそれぞれにストライプ状、すなわち格子状に設けられている。この遮光膜１９は、サ
ブ画素Ｄを区画する位置に形成されている。そして、遮光膜１９に囲まれる個々の領域内
にＢ（青）、Ｇ（緑）、Ｒ（赤）、Ｃ（シアン）の４色の着色膜２１が１つずつ設けられ
、それらの上にオーバーコート膜２２が設けられ、さらにその上に共通電極２３が設けら
れている。着色膜２１に関しては、青、緑、赤、シアンの色を区別して表記したい場合に
は、それぞれ、２１Ｂ、２１Ｇ、２１Ｒ、２１Ｃのように表記することにし、色を区別す
ることなく単に着色膜であることを表記したい場合には着色膜２１のように表記すること
にする。
【００４６】
Ｂ，Ｇ，Ｒ，Ｃの各色の着色膜２１は、特定波長の光を選択的に透過させてカラー表示
を実現するためのカラーフィルタとして機能する。共通電極２３は、素子基板４側の画素
電極１４と同じくＩＴＯ等といった透明導電材によって形成され、カラーフィルタ基板５
のほぼ全面にわたって設けられている。この共通電極２３は、図１において、シール材７
の隅の領域Ｃにおいて配線２４の一端と電気的に接続されている。この配線２４の他端は
駆動用ＩＣ１７のＣＯＭに対応する出力端子と電気的に接続されている。
【００４７】
図２に示す青色着色膜２１Ｂ、緑色着色膜２１Ｇ、赤色着色膜２１Ｒ、シアン色着色膜
２１Ｃから成るカラーフィルタの分光分布特性は、図３（ａ）に示す通りである。通常広
く用いられているＢ（青），Ｇ（緑），Ｒ（赤）の３色から成るカラーフィルタの場合に
は、それぞれの色の波長部分Ｗｂ，Ｗｇ，Ｗｒにピークを有するが、Ｂ，Ｇ，Ｒ，Ｃの４
色を用いる本実施形態の場合は、それらに加えてＣ（シアン）の波長部分Ｗｃにもピーク
を有しており、それ故、カラー表示における色度域を広げることができる。
【００４８】
次に、図２において、照明装置３は、導光体２６と光源部２７Ａとを有する。光源部２
７Ａは、図４に示すように、可撓性を有するフレキシブル基板２８と、その基板２８上に
設けられた複数の第１光源２９Ａと、同じく基板２８上に設けられた複数の第２光源３０
Ａとを有する。第１光源２９Ａと第２光源３０Ａは１つずつ互いに交互に並べられている
。フレキシブル基板２８は、図２の導光体２６の側面とほぼ同じか、それよりも少し長い
長さを有している。
【００４９】
図４の第１光源２９Ａは、図５（ａ）に示すように、絶縁基板３１と、その絶縁基板３
１上に設けられたそれぞれが単色発光源としての青色ＬＥＤ３２Ｂ，緑色ＬＥＤ３２Ｇ，
赤色ＬＥＤ３２Ｒと、これらのＬＥＤの周囲に設けられた枠状の絶縁体３９と、その絶縁
体３９によって囲まれる空間内に充填された透明樹脂４１とを有する。青色ＬＥＤ３２Ｂ
，緑色ＬＥＤ３２Ｇ，赤色ＬＥＤ３２Ｒは、図４に示すように、三角形の頂点位置に互い
に隣接して並べられている。
【００５０】
図５（ａ）において、絶縁基板３１には、各ＬＥＤ３２Ｂ，３２Ｇ，３２Ｒのそれぞれ
に対応して電極３３及び電極３４が設けられている。これらの電極３３，３４の外部端子
は図４のフレキシブル基板２８上に形成された配線（図示せず）に接続されている。一方
、電極３３，３４の内部端子は各ＬＥＤ３２Ｂ，３２Ｇ，３２Ｒに接続されている。例え
ば、各ＬＥＤ３２Ｂ，３２Ｇ，３２Ｒのアノード３６がワイヤ３７ａを介して電極３３に
接続され、カソード３８がワイヤ３７ｂを介して電極３４に接続されている。電極３３及
び３４はそれぞれ１つずつしか示されていないが、実際には、各ＬＥＤ３２Ｂ，３２Ｇ，
３２Ｒに対して１組ずつ設けられている。
【００５１】
図３（ｂ）は、各ＬＥＤ３２Ｂ，３２Ｇ，３２Ｒの発光分布特性を示している。青色Ｌ
ＥＤ３２Ｂは図３（ｂ）に示すスペクトル上でＷｂの波長部分にピークを有する。緑色Ｌ
ＥＤ３２ＧはＷｇの波長部分にピークを有する。赤色ＬＥＤ３２ＲはＷｒの波長部分にピ
ークを有する。図５（ａ）において、青色ＬＥＤ３２Ｂ、緑色ＬＥＤ３２Ｇ及び赤色ＬＥ
Ｄ３２Ｒの全てが同時に発光すると、各色光が透明樹脂４１を透過して外部へ出射する。
これらの光は互いに混光して白色光として視認される。この白色光は、図３（ｂ）のＷｂ
，Ｗｇ，Ｗｒの各波長部分にピークを有する白色光である。なお、第１光源２９Ａから出
射する白色光の光出射範囲、すなわち光出射角度は、透明樹脂４１の材質及び形状、並び
に絶縁体３９の材質及び形状によって決められる。
【００５２】
図４の第２光源３０Ａは、図５（ｂ）に示すように、絶縁基板３１と、その絶縁基板３
１上に設けられた単色発光源としてのシアン色ＬＥＤ６２と、このＬＥＤ３２Ｃの周囲に
設けられた枠状の絶縁体３９と、その絶縁体３９によって囲まれる空間内に充填された透
明樹脂４１とを有する。透明樹脂４１の光出射部にはレンズ４３が設けられている。この
レンズ４３は、ガラス等といった透明樹脂４１とは異なる材料によって形成されても良い
し、透明樹脂４１とは異なる他の樹脂によって形成されても良いし、透明樹脂４１と同じ
材料によって一体に形成されても良い。
【００５３】
シアン色ＬＥＤ３２Ｃが発光すると、そのシアン色光は透明樹脂４１を透過して外部へ
出射する。このシアン色光は、図３（ｂ）に示すスペクトル上でＷｃの波長部分にピーク
を有する。図４において、第１光源２９Ａ内の各色ＬＥＤ３２Ｂ，３２Ｇ，３２Ｒ及び第
２光源３０Ａ内のシアン色ＬＥＤ３２Ｃが全て同時に発光すると、各色光が混光して白色
光として視認される。この白色光は、図３（ｂ）のＷｂ，Ｗｃ，Ｗｇ，Ｗｒの各波長部分
にピークを有する白色光である。
【００５４】
本実施形態では、図６（ａ）に示すように、シアン色光を発光する第２光源３０Ａの光
出射範囲を、白色光を発光する第１光源２９Ａの光出射範囲よりも広く設定している。第
１光源２９Ａの光出射範囲の調整は、図５（ａ）において、透明樹脂４１の材質や形状、
絶縁体３９の材質や形状等を調整することによって決めることができる。また、第２光源
３０Ａの光出射範囲の調整は、図５（ｂ）において、透明樹脂４１の材質や形状、絶縁体
３９の材質や形状、レンズ４３の特性等を調整することによって決めることができる。な
お、図５（ａ）の第１光源２９Ａの光出射部にレンズを設けることによって光出射範囲を
調整しても良い。
【００５５】
図４の第１光源２９Ａ及び第２光源３０Ａに関して、その色度再現性について考えれば
、第１光源２９Ａは図７に示すように、青色（色度座標Ｂ）と緑色（色度座標Ｇ）と赤色
（色度座標Ｒ）とによって規定される白色（色度座標Ｗ）を発光する。この第１光源２９
Ａは、座標点（Ｂ）、（Ｇ）、（Ｒ）を結んだ三角形の範囲内で色度を調節できる。一方
、第２光源３０Ａはシアン色（色度座標Ｃ）を発光する。従って、第１光源２９Ａと第２
光源３０Ａとによって構成される白色光源は、座標点（Ｂ）、（Ｇ）、（Ｒ）、（Ｃ）を
結んだ四角形の範囲内で色度を調節できる。
【００５６】
図４の第１光源２９Ａ及び第２光源３０Ａは、例えば、図８に示す駆動回路４４によっ
て駆動される。この駆動回路４４は、電力を供給するＬＥＤ駆動電源部４５と、ドライバ
としてのＬＥＤ駆動部４６と、青色ＬＥＤ駆動回路４７Ｂと、緑色ＬＥＤ駆動回路４７Ｇ
と、赤色ＬＥＤ駆動回路４７Ｒと、シアン色駆動回路４７Ｃとを有する。
【００５７】
青色ＬＥＤ駆動回路４７Ｂは、図４の複数の第１光源２９Ａ内の各青色ＬＥＤ３２Ｂと
直列に接続されている。緑色ＬＥＤ駆動回路４７Ｇは、複数の第１光源２９Ａ内の各緑色
ＬＥＤ３２Ｇと直列に接続されている。赤色ＬＥＤ駆動回路４７Ｒは、複数の第１光源２
９Ａ内の各赤色ＬＥＤ３２Ｇと直列に接続されている。シアン色ＬＥＤ駆動回路４７Ｃは
、複数の第２光源３０Ａ内の各シアン色ＬＥＤ３２Ｃと直列に接続されている。
【００５８】
各ＬＥＤ駆動回路４７Ｂ，４７Ｇ，４７Ｒ，４７Ｃは、例えば、図９に示すように、パ
ルス電圧発生回路４９と、その回路４９に直列に接続された電流制限抵抗Ｒ０とを有する
。電流制限抵抗Ｒ０の大きさは、各ＬＥＤ３２Ｂ，３２Ｇ，３２Ｒ，３２Ｃに流すことの
できる電流の許容値によって決められる。パルス電圧発生回路４９は、図８のＬＥＤ駆動
部４６からの指令に従って各ＬＥＤ３２Ｂ，３２Ｇ，３２Ｒ，３２Ｃに所定のパルス電流
を供給する。また、パルス電圧発生回路４９は、ＬＥＤ駆動部４６からの指令に従って各
ＬＥＤ３２Ｂ，３２Ｇ，３２Ｒ，３２Ｃへ供給するパルス電流の幅及びタイミングを制御
する。図８の回路図から分かるように、駆動回路４４は、青色、緑色、赤色、及びシアン
色の色ごとにＬＥＤへの電流を制御する。
【００５９】
青色ＬＥＤ駆動回路４７Ｂ、緑色ＬＥＤ駆動回路４７Ｇ、及び赤色ＬＥＤ駆動回路４７
Ｒによって、第１光源２９Ａ内の青色ＬＥＤ３２Ｂ、緑色ＬＥＤ３２Ｇ、及び赤色ＬＥＤ
３２Ｒへ図１０（ａ）に示すようなパルス電流を供給すれば、各ＬＥＤ３２Ｂ，３２Ｇ，
３２Ｒが同時に発光して図３（ｂ）においてＷｂ，Ｗｇ，Ｗｒの各波長分布にピークを有
する白色光が第１光源２９Ａの出射光として得られる。
【００６０】
一方、図８に示す青色ＬＥＤ駆動回路４７Ｂ、緑色ＬＥＤ駆動回路４７Ｇ、赤色ＬＥＤ
駆動回路４７Ｒ、及びシアン色ＬＥＤ駆動回路４７Ｃによって、第１光源２９Ａ内の青色
ＬＥＤ３２Ｂ、緑色ＬＥＤ３２Ｇ、及び赤色ＬＥＤ３２Ｒ、並びに第２光源３０Ａ内のシ
アン色ＬＥＤ３２Ｃへ図１０（ｂ）に示すようなパルス電流を供給すれば、各ＬＥＤ３２
Ｂ，３２Ｇ，３２Ｒ，３２Ｃが同時に発光して図３（ｂ）においてＷｂ，Ｗｃ，Ｗｇ，Ｗ
ｒの各波長分布にピークを有する白色光が第１光源２９Ａ及び第２光源３０Ａの出射光と
して得られる。
【００６１】
以下、上記構成より成る照明装置及び液晶装置の動作について説明する。
図８において各ＬＥＤ駆動回路４７Ｂ，４７Ｇ，４７Ｒ，４７Ｃが作動して各ＬＥＤ３
２Ｂ，３２Ｇ，３２Ｒ，３２Ｃに図１０（ｂ）に示すパルス電流が供給される。これによ
り、画像表示処理における１フレーム期間内の所定のパルス幅において第１光源２９Ａ内
の青色ＬＥＤ３２Ｂ、緑色ＬＥＤ３２Ｇ、赤色ＬＥＤ３２Ｒ、及び第２光源３０Ａ内のシ
アン色ＬＥＤ３２Ｃの全てが所定の期間内で同時に発光する。
【００６２】
このとき、図７の点（Ｂ）、（Ｇ）、（Ｒ）、（Ｃ）で規定される色度域内の白色光で
あって、図３（ｂ）に示す波長分布を有する白色光が図４及び図２の光源部２７Ａから発
せられ、導光体２６の光入射面２６ａから導光体２６内へ導入される。導入された光は、
導光体２６の光反射面２６ｂ、光出射面２６ｃ、及び光入射面２６ａと反対の端面で反射
を繰り返し、光出射面２６ｃにおいて臨界角を越えたときに、その光出射面２６ｃから外
部へ出射する。この出射光は光出射面２６ｃから面状の光となって液晶パネル２へ供給さ
れる。
【００６３】
液晶パネル２においては、図２において、画素電極１４と共通電極３との間にサブ画素
Ｄごとに画像信号に対応した電圧が印加され、液晶層８内の液晶分子の配向がサブ画素Ｄ
ごとに制御される。このため、液晶パネル２へ供給された照明装置３からの光が液晶層８
においてサブ画素Ｄごとに変調される。この変調された光がカラーフィルタ基板５側の偏
光板９ｂおいて通過を規制されることにより、表示領域Ｖ内に画像が表示される。
【００６４】
本実施形態の液晶パネル２では、Ｂ，Ｇ，Ｒ，Ｃの４色のサブ画素Ｄによって１つの表
示画素Ｇが形成されるので、Ｂ，Ｇ，Ｒの３色だけによる表示の場合に比べて、Ｃを加え
た分だけ表示の色度域を広げることができ、表示の色再現性を高めることができる。この
場合、本実施形態では図３（ａ）に示すようにカラーフィルタのスペクトルにおいて、青
色の波長部分Ｗｂの谷の部分であって且つ緑色の波長部分Ｗｇの谷の部分でもある波長部
分の所にシアンＷｃのピークが存在する。
【００６５】
仮に、図４に示す光源部２７Ａの第１光源２９Ａからの白色光だけによって液晶パネル
２を照明することにすれば、第１光源２９Ａにはシアンの波長部分のスペクトルが含まれ
ないので、図３（ａ）のシアン部分Ｗｃに対して十分な光を供給することができず、液晶
装置の表示としてシアン色が暗くなるという問題が発生する。これに対し、図４に示すよ
うに、第１光源２９Ａに加えて第２光源３０Ａからのシアン色光を液晶パネルへ供給する
ことにした本実施形態の場合には、シアン色の輝度を向上でき、色の再現性を改善できる
。
【００６６】
さらに、本実施形態では、図６（ａ）に示したように、シアン色光を発光する第２光源
３０Ａの光出射範囲を、Ｂ，Ｇ，Ｒを含む白色光を発光する第１光源２９Ａの光出射範囲
よりも広く設定したので、主となる白色光に混ざろうとするシアン色の混光を促進でき、
液晶パネルへムラの無い白色光を供給できる。この結果、液晶装置によって色ムラの無い
カラー表示を実現できる。
【００６７】
（変形例）
図６（ｂ）は、第１光源２９Ａと第２光源３０Ａの配列の仕方の変形例を示している。
図６（ａ）の実施形態では第１光源２９Ａと第２光源３０Ａとを１つずつ交互に配置した
が、図６（ｂ）に示す変形例では、第２光源３０Ａの間に２つの第１光源２９Ａを配置さ
せている。この変形例においても、第２光源３０Ａの光出射範囲が第１光源２９Ａの光出
射範囲よりも広く設定されている。
【００６８】
（照明装置及び液晶装置の第２実施形態）
本発明に係る第２の照明装置は、青色発光源の出射光をＹＡＧ（イットリウム・アルミ
ニウム・ガーネット）蛍光体を通して所定の光出射範囲で出射する第１光源と、前記青色
発光源と異なる色で発光する他の単色発光源からの光を所定の光出射範囲で出射する第２
光源とを有し、前記第２光源の光出射範囲は前記第１光源の光出射範囲よりも広いことを
特徴とする。
【００６９】
以下、本発明に係る第２の照明装置を実施形態に基づいて説明する。なお、本発明がこ
の実施形態に限定されないことはもちろんである。また、これからの説明では必要に応じ
て図面を参照するが、この図面では、複数の構成要素から成る構造のうち重要な構成要素
を分かり易く示すため、各要素を実際とは異なった相対的な寸法で示す場合がある。
【００７０】
図１１（ａ）は、本発明に係る第２の照明装置の一実施形態の主要部を構成する光源部
２７Ｂを示している。本実施形態の照明装置の全体的な構成は、図１及び図２において符
号３で示す照明装置と同じである。本実施形態の光源部２７Ｂは、図４に示す光源部２７
Ａに代えて照明装置３に用いられる。
【００７１】
図１１（ａ）に示す光源部２７Ｂは、可撓性を有するフレキシブル基板２８と、その基
板２８上に設けられた複数の第１光源２９Ｂと、同じく基板２８上に設けられた複数の第
２光源３０Ａとを有する。第１光源２９Ｂと第２光源３０Ａは１つずつ互いに交互に並べ
られている。フレキシブル基板２８は、図２の導光体２６の側面とほぼ同じか、それより
も少し長い長さを有している。
【００７２】
図１１（ａ）の第１光源２９Ｂは、図１１（ｂ）に示すように、絶縁基板３１と、その
絶縁基板３１上に設けられた青色発光源としての青色ＬＥＤ３２Ｂと、その青色ＬＥＤ３
２Ｂの周囲に設けられた枠状の絶縁体３９と、その絶縁体３９によって囲まれる空間内に
充填された透明樹脂４１と、その透明樹脂４１の中に分散状態で含まれるＹＡＧ（イット
リウム・アルミニウム・ガーネット）蛍光体４２とを有する。
【００７３】
絶縁基板３１には、電極３３及び電極３４が設けられている。これらの電極３３，３４
の外部端子は図１１（ａ）のフレキシブル基板２８上に形成された配線（図示せず）に接
続されている。一方、電極３３，３４の内部端子は青色ＬＥＤ３２Ｂに接続されている。
例えば、青色ＬＥＤ３２Ｂのアノード３６がワイヤ３７ａを介して電極３３に接続され、
カソード３８がワイヤ３７ｂを介して電極３４に接続されている。
【００７４】
青色ＬＥＤ３２Ｂが発光すると、青色光の一部はそのまま外部へ出射し、他の一部はＹ
ＡＧ蛍光体４２に吸収されて青色光の補色である黄色光となって外部へ出射する。そして
、これらの青色光と黄色光とが混光することによって白色光が出射光として得られる。こ
の場合の白色光は、図１２（ａ）に示すスペクトルのように、青の波長部分ＷｂとＹＡＧ
蛍光の波長部分Ｗｙにピークを有する白色光である。
【００７５】
図１１（ａ）の第２光源３０Ａは、第１実施形態で用いた図４の第２光源３０Ａと同じ
ものである。第２光源３０Ａ内のシアン色ＬＥＤ３２Ｃが発光すると、そのシアン色光は
図５（ｂ）において透明樹脂４１を透過して外部へ出射する。図１１（ａ）において、第
１光源２９Ｂ内の青色ＬＥＤ３２Ｂと第２光源３０Ａ内のシアン色ＬＥＤ３２Ｃの両方が
発光すると、図１２（ｂ）に示すスペクトルのように、青の波長部分ＷｂとＹＡＧ蛍光の
波長部分Ｗｙにピークを有することに加えて、シアン色ＬＥＤ３２Ｃに起因するシアンの
波長部分Ｗｃにピークを有する白色光が得られる。なお、シアン色ＬＥＤ３２Ｃに起因す
るシアンの波長部分Ｗｃは、図３（ａ）に示したカラーフィルタの分光分布特性における
シアンの波長部分Ｗｃとほぼ一致している。
【００７６】
第１光源２９Ｂ及び第２光源３０Ａに関して、その色度再現性について考えれば、第１
光源２９Ｂは図１３（ｂ）に示すように、青色（色度座標Ａ）と蛍光体の黄色（色度座標
Ｂ）とによって白色（色度座標Ｃ）を発光する。さらに、第１光源２９Ｂに加えて第２光
源３０Ａを発光させれば、青色（色度座標Ａ）と蛍光体の黄色（色度座標Ｂ）とに加えて
シアン色（色度座標Ｄ）を加えた白色（色度座標Ｃ）を発光することができる。第１光源
２９Ｂと第２光源３０Ａとによって構成される光源は、座標点（Ａ）、（Ｂ）、（Ｄ）を
結んだ三角形の範囲内で色度を調節することができる。
【００７７】
本実施形態では、図１６（ａ）に示すように、シアン色光を発光する第２光源３０Ａの
光出射範囲を、白色光を発光する第１光源２９Ｂの光出射範囲よりも広く設定している。
第１光源２９Ｂの光出射範囲の調整は、図１１（ｂ）において、透明樹脂４１の材質や形
状、絶縁体３９の材質や形状等を調整することによって決めることができる。また、第２
光源３０Ａの光出射範囲の調整は、図５（ｂ）において、透明樹脂４１の材質や形状、絶
縁体３９の材質や形状、レンズ４３の特性等を調整することによって決めることができる
。なお、図１１（ｂ）の第１光源２９Ｂの光出射部にレンズを設けることによって光出射
範囲を調整しても良い。
【００７８】
図１１（ａ）の第１光源２９Ｂ及び第２光源３０Ａは、例えば、図１４に示す駆動回路
４４によって駆動される。この駆動回路４４は、電力を供給するＬＥＤ駆動電源部４５と
、ドライバとしてのＬＥＤ駆動部４６と、青色ＬＥＤ駆動回路４７Ｂと、シアン色ＬＥＤ
駆動回路４７Ｃとを有する。青色ＬＥＤ駆動回路４７Ｂは、複数の第１光源２９Ｂ内の各
青色ＬＥＤ３２Ｂと直列に接続されている。また、シアン色ＬＥＤ駆動回路４７Ｃは、複
数の第２光源３０Ａ内の各シアン色ＬＥＤ３２Ｃと直列に接続されている。青色ＬＥＤ駆
動回路４７Ｂ及びシアン色ＬＥＤ駆動回路４７Ｃは、例えば、図９に示す回路によって構
成される。
【００７９】
青色ＬＥＤ駆動回路４７Ｂによって青色ＬＥＤ３２Ｂへ図１５（ａ）に示すようなパル
ス電流を供給すれば、青色ＬＥＤ３２Ｂが発光して図１２（ａ）に示す波長分布を有する
白色光が出射光として得られる。一方、図１４の青色ＬＥＤ駆動回路４７Ｂ及びシアン色
ＬＥＤ駆動回路４７Ｃによって青色ＬＥＤ３２Ｂ及びシアン色ＬＥＤ３２Ｃの両方へ図１
５（ｂ）に示すように同じタイミングでパルス電流を供給すれば、青色ＬＥＤ３２Ｂ及び
シアン色ＬＥＤ３２Ｃの両方が同時に発光して図１２（ｂ）に示す波長分布を有する白色
光が出射光として得られる。
【００８０】
本実施形態の液晶パネルでは、Ｂ，Ｇ，Ｒ，Ｃの４色のサブ画素Ｄによって１つの表示
画素Ｇが形成されるので、Ｂ，Ｇ，Ｒの３色だけによる表示の場合に比べて、Ｃを加えた
分だけ表示の色度域を広げることができ、表示の色再現性を高めることができる。この場
合、本実施形態では図３（ａ）に示すようにカラーフィルタのスペクトルにおいて、シア
ンの波長部分Ｗｃの所にピークが存在する。仮に、図１１（ａ）に示す光源部２７Ｂの第
２光源３０Ａを用いることなく、第１光源２９Ｂだけ（すなわち、青色ＬＥＤ３２ＢとＹ
ＡＧ蛍光体４２とから成る白色光源だけ）によって光を出射するものとすれば、図３（ａ
）のシアン部分Ｗｃに対して十分な光を供給することができず、液晶装置の表示としてシ
アン色が暗くなるという問題が発生する。
【００８１】
これに対し、図１１（ａ）に示すように、青色ＬＥＤ３２ＢとＹＡＧ蛍光体４２とから
成る第１光源２９Ｂに、シアン色ＬＥＤ３２Ｃを含む第２光源３０Ａを加えた本実施形態
の光源部２７Ｂを用いた場合には、図１２（ｂ）において、２つのピークＷｂ及びＷｙの
それぞれの谷に相当する波長部分であるシアンの波長部分Ｗｃで発光強度を高めることが
できるので、図３（ａ）のスペクトルに対してシアン色Ｗｃの輝度を向上でき、色の再現
性を改善できる。また、光がブロードでなくシャープであるので色純度も改善され、色度
域も広がる。
【００８２】
さらに、本実施形態では、図１６（ａ）に示すように、シアン色光を発光する第２光源
３０Ａの光出射範囲を白色光を発光する第１光源２９Ｂの光出射範囲よりも広く設定して
いる。このため、主となる白色光に混ざろうとするシアン色の混光を促進でき、液晶パネ
ルへムラの無い白色光を供給できる。この結果、液晶装置によって色ムラの無いカラー表
示を実現できる。
【００８３】
（照明装置及び液晶装置の第３実施形態）
本発明に係る第２の照明装置は、青色発光源の出射光をＹＡＧ（イットリウム・アルミ
ニウム・ガーネット）蛍光体を通して所定の光出射範囲で出射する第１光源と、前記青色
発光源と異なる色で発光する他の単色発光源からの光を所定の光出射範囲で出射する第２
光源とを有し、前記第２光源の光出射範囲は前記第１光源の光出射範囲よりも広いことを
特徴とする。以下、本発明に係る第２の照明装置の他の実施形態を説明する。
【００８４】
図１７（ａ）は、本発明に係る第２の照明装置の一実施形態の主要部を構成する光源部
２７Ｃを示している。本実施形態の照明装置の全体的な構成は、図１及び図２において符
号３で示す照明装置と同じである。本実施形態の光源部２７Ｃは、図４に示す光源部２７
Ａや図１１（ａ）に示す光源部２７Ｂに代えて照明装置３に用いられる。
【００８５】
図１７（ａ）に示す光源部２７Ｃは、可撓性を有するフレキシブル基板２８と、その基
板２８上に設けられた複数の第１光源２９Ｂと、同じく基板２８上に設けられた複数の第
２光源３０Ｂとを有する。フレキシブル基板２８は、図２の導光体２６の側面とほぼ同じ
か、それよりも少し長い長さを有している。
【００８６】
第１光源２９Ｂは、図１１（ａ）の実施形態における第１光源２９Ｂと同じものであり
、青色ＬＥＤ３２ＢとＹＡＧ蛍光体４２とを有する光源である。第２光源３０Ｂは、図１
７（ｂ）に示すように、絶縁基板３１と、その絶縁基板３１上に設けられた単色発光源と
しての赤色ＬＥＤ３２Ｒと、このＬＥＤ３２Ｒの周囲に設けられた枠状の絶縁体３９と、
その絶縁体３９によって囲まれる空間内に充填された透明樹脂４１とを有する。透明樹脂
４１の光出射部にはレンズ４３が設けられている。このレンズ４３は、ガラス等といった
透明樹脂４１とは異なる材料によって形成されても良いし、透明樹脂４１とは異なる他の
樹脂によって形成されても良いし、透明樹脂４１と同じ材料によって一体に形成されても
良い。
【００８７】
図１７（ｂ）において、絶縁基板３１には、電極３３及び電極３４が設けられている。
これらの電極３３，３４の外部端子は図１７（ａ）のフレキシブル基板２８上に形成され
た配線（図示せず）に接続されている。一方、電極３３，３４の内部端子は赤色ＬＥＤ３
２Ｒに接続されている。例えば、赤色ＬＥＤ３２Ｒのアノード３６がワイヤ３７ａを介し
て電極３３に接続され、カソード３８がワイヤ３７ｂを介して電極３４に接続されている
。
【００８８】
赤色ＬＥＤ３２Ｒが発光すると、その赤色光は透明樹脂４１を透過して外部へ出射する
。この赤色光は、図１３（ａ）に示すスペクトル上でＷｒの波長部分にピークを有する。
図１７（ａ）において、第１光源２９Ｂ内の青色ＬＥＤ３２Ｂが発光すると、青色光の一
部はそのまま外部へ出射し、他の一部はＹＡＧ蛍光体４２に吸収されて青色光の補色であ
る黄色光となって外部へ出射する。そして、これらの青色光と黄色光とが混光することに
よって白色光が出射光として得られる。この場合の白色光は、図１２（ａ）に示すスペク
トルのように、青の波長部分ＷｂとＹＡＧ蛍光の波長部分Ｗｙにピークを有する白色光で
ある。
【００８９】
第２光源３０Ｂ内の赤色ＬＥＤ３２Ｒが発光すると、その赤色光は図１７（ｂ）におい
て透明樹脂４１を透過して外部へ出射する。図１７（ａ）において、第１光源２９Ｂ内の
青色ＬＥＤ３２Ｂと第２光源３０Ｂ内の赤色ＬＥＤ３２Ｒの両方が発光すると、図１３（
ａ）に示すスペクトルのように、青の波長部分ＷｂとＹＡＧ蛍光の波長部分Ｗｙにピーク
を有することに加えて、赤色ＬＥＤ３２Ｒに起因する赤の波長部分Ｗｒにピークを有する
白色光が得られる。なお、赤色ＬＥＤ３２Ｒに起因する赤の波長部分Ｗｒは、図３（ａ）
に示したカラーフィルタの分光分布特性における赤の波長部分Ｗｒとほぼ一致している。
【００９０】
第１光源２９Ｂ及び第２光源３０Ｂに関して、その色度再現性について考えれば、第１
光源２９Ｂは図１３（ｂ）に示すように、青色（色度座標Ａ）と蛍光体の黄色（色度座標
Ｂ）とによって白色（色度座標Ｃ）を発光する。さらに、第１光源２９Ｂに加えて第２光
源３０Ｂを発光させれば、青色（色度座標Ａ）と蛍光体の黄色（色度座標Ｂ）とに加えて
赤色（色度座標Ｅ）を加えた白色（色度座標Ｃ）を発光することができる。第１光源２９
Ｂと第２光源３０Ｂとによって構成される光源は、座標点（Ａ）、（Ｂ）、（Ｅ）を結ん
だ三角形の範囲内で色度を調節することができる。
【００９１】
本実施形態では、図１６（ｂ）に示すように、赤色光を発光する第２光源３０Ｂの光出
射範囲を、白色光を発光する第１光源２９Ｂの光出射範囲よりも広く設定している。第１
光源２９Ｂの光出射範囲の調整は、図１１（ｂ）において、透明樹脂４１の材質や形状、
絶縁体３９の材質や形状等を調整することによって決めることができる。また、第２光源
３０Ｂの光出射範囲の調整は、図１７（ｂ）において、透明樹脂４１の材質や形状、絶縁
体３９の材質や形状、レンズ４３の特性等を調整することによって決めることができる。
なお、図１１（ｂ）の第１光源２９Ｂの光出射部にレンズを設けることによって光出射範
囲を調整しても良い。
【００９２】
図１７（ａ）の第１光源２９Ｂ及び第２光源３０Ｂの駆動回路は、例えば、図１４に示
す駆動回路４４を用いることができる。但し、本実施形態の場合には、シアン色駆動回路
４７Ｃと同じ回路によって赤色ＬＥＤ３２Ｒを駆動することになる。
【００９３】
本実施形態の液晶パネルでは、Ｂ，Ｇ，Ｒ，Ｃの４色のサブ画素Ｄによって１つの表示
画素Ｇが形成されるので、Ｂ，Ｇ，Ｒの３色だけによる表示の場合に比べて、Ｃを加えた
分だけ表示の色度域を広げることができ、表示の色再現性を高めることができる。この場
合、本実施形態では図３（ａ）に示すようにカラーフィルタのスペクトルにおいて、赤の
波長部分Ｗｒの所にピークが存在する。仮に、図１７（ａ）に示す光源部２７Ｃの第２光
源３０Ｂを用いることなく、第１光源２９Ｂだけ（すなわち、青色ＬＥＤ３２ＢとＹＡＧ
蛍光体４２とから成る白色光源だけ）によって光を出射するものとすれば、図３（ａ）の
赤部分Ｗｒに対して十分な光を供給することができず、液晶装置の表示として赤色が暗く
なるという問題が発生する。
【００９４】
これに対し、図１７（ａ）に示すように、青色ＬＥＤ３２ＢとＹＡＧ蛍光体４２とから
成る第１光源２９Ｂに、赤色ＬＥＤ３２Ｒを含む第２光源３０Ｂを加えた本実施形態の光
源部２７Ｃを用いた場合には、図１３（ａ）において、Ｗｙのピークの谷に相当する波長
部分である赤の波長部分Ｗｒで発光強度を高めることができるので、図３（ａ）のスペク
トルに対して赤色Ｗｒの輝度を向上でき、色の再現性を改善できる。また、光がブロード
でなくシャープであるので色純度も改善され、色度域も広がる。
【００９５】
さらに、本実施形態では、図１６（ｂ）に示すように、赤色光を発光する第２光源３０
Ｂの光出射範囲を白色光を発光する第１光源２９Ｂの光出射範囲よりも広く設定している
。このため、主と成る白色光に混ざろうとする赤色光の混光を促進でき、液晶パネルへム
ラの無い白色光を供給できる。この結果、液晶装置によって色ムラの無いカラー表示を実
現できる。
【００９６】
（変形例）
上記の各実施形態では、図１の４つのサブ画素Ｄに対応してＢ（青），Ｇ（緑），Ｒ（
赤），Ｃ（シアン）の４色の各色の着色膜（すなわち、着色領域）２１を対応させた。し
かしながら、着色膜２１の色の組合せは以下の通り種々に改変できる。なお、図４の第１
光源２９Ａ内の単色光源及び第２光源３０Ａ内の単色光源の各出射光の波長は、それら４
色のそれぞれと一致させることが望ましい。
【００９７】
４色の着色領域は、波長に応じて色相が変化する可視光領域（３８０から７８０ｎｍ）
のうち、青系の色相の着色領域と、赤系の色相の着色領域と、青から黄までの色相の中で
選択された２種の色相の着色領域から成る。ここで、系の文言を用いているが、例えば青
系であれば純粋の青の色相に限定されるものでなく、青紫や青緑等を含むものである。赤
系の色相であれば、赤に限定されるものでなく橙を含むものである。また、これらの着色
領域は単一の着色膜で構成しても良いし、複数の異なる色相の着色膜を重ねて構成しても
良い。また、これらの着色領域は色相で述べているが、当該色相は、彩度、明度を適宜に
変更し、色を設定し得るものである。
【００９８】
具体的な色相の範囲は、（１）青系の色相の着色領域は、青紫から青緑であり、より好
ましくは藍から青である。（２）赤系の色相の着色領域は、橙から赤である。（３）青か
ら黄までの色相で選択される一方の着色領域は、青から緑であり、より好ましくは青緑か
ら緑である。（４）青から黄までの色相で選択される他方の着色領域は、緑から橙であり
、より好ましくは緑から黄である。若しくは緑から黄緑である。
ここで、各着色領域は、同じ色相を用いることはない。例えば、青から黄までの色相で
選択される２つの着色領域で緑系の色相を用いる場合は、他方は一方の緑に対して青系若
しくは黄緑系の色相を用いる。以上により、従来のＢ，Ｇ，Ｒ３色の着色領域を用いる場
合よりも広範囲の色再現性を実現できる。
【００９９】
他の具体的な例として、着色領域を、透過する波長で規定することができる。例えば、
（１）青系の着色領域は、該領域を透過した光の波長のピークが４１５〜５００ｎｍにあ
る着色領域、好ましくは、４３５〜４８５ｎｍにある着色領域である。（２）赤系の着色
領域は、該領域を透過した光の波長のピークが６００ｎｍ以上にある着色領域で、好まし
くは、６０５ｎｍ以上にある着色領域である。（３）青から黄までの色相で選択される一
方の着色領域は、該領域を透過した光の波長のピークが４８５〜５３５ｎｍにある着色領
域で、好ましくは、４９５〜５２０ｎｍにある着色領域である。（４）青から黄までの色
相で選択される他方の着色領域は、該領域を透過した光の波長のピークが５００〜５９０
ｎｍにある着色領域、好ましくは５１０〜５８５ｎｍにある着色領域、若しくは５３０〜
５６５ｎｍにある着色領域である。
以上の波長は、透過表示の場合は、照明装置からの照明光がカラーフィルタを通して得
られた数値である。また、反射表示の場合は、外光を反射して得られた数値である。
【０１００】
他の具体的な例として、着色領域を、ｘ，ｙ色度図で規定することができる。例えば、
（１）青系の着色領域は、ｘ≦０．１５１、ｙ≦０．２００にある着色領域であり、好ま
しくは、０．１３４≦ｘ≦０．１５１、０．０３４≦ｙ≦０．２００にある着色領域であ
る。（２）赤系の着色領域は、０．５２０≦ｘ、ｙ≦０．３６０にある着色領域であり、
好ましくは、０．５５０≦ｘ≦０．６９０、０．２１０≦ｙ≦０．３６０にある着色領域
である。（３）青から黄までの色相で選択される一方の着色領域は、ｘ≦０．２００、０
．２１０≦ｙにある着色領域であり、好ましくは、０．０８０≦ｘ≦０．２００、０．２
１０≦ｙ≦０．７５９にある着色領域である。（４）青から黄までの色相で選択される他
方の着色領域は、０．２５７≦ｘ、０．４５０≦ｙにある着色領域であり、好ましくは０
．２５７≦ｘ≦０．５２０、０．４５０≦ｙ≦０．７２０にある着色領域である。このｘ
，ｙ色度図は、透過表示の場合は、照明装置からの照明光がカラーフィルタを通して得ら
れた数値である。また、反射表示の場合は、外光を反射して得られた数値である。
【０１０１】
図１に示した液晶装置１において、個々のサブ画素Ｄはその全域が光透過領域であって
も良いし、個々のサブ画素Ｄの中に光透過領域と光反射領域の両方が存在するものであっ
ても良い。個々のサブ画素Ｄの全域が光透過領域である場合の液晶装置は、透過型の液晶
装置である。個々のサブ画素Ｄの中に光透過領域と光反射領域の両方が存在する場合の液
晶装置は、半透過反射型の液晶装置である。サブ画素に光透過領域と光反射領域とを有す
る場合、以上に説明した４色の着色領域は、光透過領域及び光反射領域も上述した範囲で
適用できるものである。
【０１０２】
上記実施形態では、図４において、ＬＥＤによって第１光源２９Ａ及び第２光源３０Ａ
を形成した。これに代えて、蛍光管、有機ＥＬ（Electro Luminescence）を用いて第１光
源２９Ａ及び第２光源３０Ａを形成しても良い。
【０１０３】
また、カラーフィルタを構成する４色の着色領域の構成例として、次の例が考えられる
。
（１）色相が、赤、青、緑、シアン（青緑）の着色領域。
（２）色相が、赤、青、緑、黄の着色領域。
（３）色相が、赤、青、深緑、黄の着色領域。
（４）色相が、赤、青、エメラルドグリーン、黄緑の着色領域。
（５）色相が、赤、青、エメラルドグリーン、黄の着色領域。
（６）色相が、赤、青、深緑、黄緑の着色領域。
（７）色相が、赤、青緑、深緑、黄緑の着色領域。
【０１０４】
（照明装置及び液晶装置の第４実施形態）
図１８は、本発明に係る照明装置及び液晶装置のさらに他の実施形態を示している。図
１及び図４を用いて説明した先の実施形態、図１及び図１１（ａ）を用いて説明した先の
実施形態、及び図１及び図１７（ａ）を用いて説明した先の実施形態では、図２に示した
ように、光源部２７Ａ、２７Ｂ及び２７Ｃが導光体２６の側面に設けられる形式の照明装
置、いわゆるサイドライト方式の照明装置を用いた。これに対し、図１８に示す本実施形
態の液晶装置５１は、被照明体である液晶パネル５２のほぼ全面に対向して光源部が設け
られる形式の照明装置、いわゆる平面ライト方式の又は直下型の照明装置を用いている。
【０１０５】
本実施形態の照明装置５３は、光反射板５４と、光源部５７と、光散乱板５５と、第１
の集光板５６ａと、第２の集光板５６ｂとを有する。光反射板５４、光源部５７、光散乱
板５５、集光板５６ａ、集光板５６ｂの各要素は、図１９に示すように、筐体５９に互い
に重ねて収納される。そして、集光板５６ｂの上に液晶パネル５２が設けられる。液晶パ
ネル５２としては、例えば、図１及び図２に示した液晶パネル２が用いられる。
【０１０６】
光源部５７は、図２０（ａ）に示す短冊状すなわち単列の光源ユニット６３を面内に複
数個、平行に並べることによって形成されている。個々の単列の光源ユニット６３は、フ
レキシブル基板５８と、その基板５８上に設けられた複数の発光要素６２とを有する。複
数の発光要素６２は、個々のフレキシブル基板５８上で直線の列状に並べられており、複
数のフレキシブル基板５８を平行に並べたときに縦方向及び横方向へマトリクス状に並べ
られる。発光要素６２としては、白色光源である第１光源２９Ａと、シアン色光源である
単色発光源としての第２光源３０Ａの２種類が用いられている。第１光源２９Ａ及び第２
光源３０Ａは図４で同じ符号を用いて示した各光源と同じである。
【０１０７】
従って、第１光源２９Ａのスペクトルは、例えば、図３（ｂ）でＷｂ，Ｗｇ，Ｗｒの各
波長部分にピークを有している。また、第２光源３０Ａのスペクトルは、例えば、図３（
ｂ）でシアンの波長部分Ｗｃにピークを有している。これらＷｂ，Ｗｃ，Ｗｇ，Ｗｒの各
波長部分は、本実施形態で用いるカラーフィルタを構成するＢ，Ｇ，Ｒ，Ｃの４色の着色
膜２１が有するスペクトルピーク波長とほぼ同じである。
【０１０８】
複数個の第１光源２９Ａと複数個の第２光源３０Ａとの配列の仕方に関しては、例えば
、図２０（ａ）の例では、第１光源２９Ａと第２光源３０Ａとが行方向Ｘに１つずつ交互
に並ぶ配列状態である。また、第２光源３０Ａは列方向Ｙに関しては直接には（すなわち
、真横には）隣接しない配列となっている。
【０１０９】
本実施形態の液晶装置５１においては、表示を行う際、例えば図１０（ｂ）に示すよう
に第１光源２９Ａ内のＢ，Ｇ，Ｒの各色ＬＥＤと第２光源３０Ａ内のシアン色ＬＥＤとが
１フレーム期間中の所定期間だけパルス幅制御によって発光する。これにより、図１８の
照明装置５３から面状の光が液晶パネル５２へ直接に照射される。本実施形態の場合、Ｂ
，Ｇ，Ｒ，Ｃの４色の着色膜２１（図１参照）を有するカラーフィルタのスペクトルは図
３（ａ）に示すようにＢ，Ｇ，Ｒのそれぞれの波長部分Ｗｂ，Ｗｇ，Ｗｒにピークを有す
る以外にシアンに対応する波長部分Ｗｃにもピークを有している。
【０１１０】
このカラーフィルタに対して従来のようなＢ，Ｇ，Ｒの３色から成る白色光源によって
照明光を供給することにすれば、図３（ａ）のシアン色部分Ｗｃが暗くなって良好な表示
品質が得られないおそれがある。これに対し、図２０（ａ）において白色光源である第１
光源２９Ａに加えて、シアン色光源である第２光源３０Ａを設けることにより、図３（ｂ
）に示すように２つのピークＷｂ及びＷｇの谷に相当する波長部分であるＷｃにピークを
有する光を形成して、その光をカラーフィルタへ供給することにすれば、シアン色部分の
輝度を向上でき、そのため、実質的な光透過率を向上させることができる。
【０１１１】
さらに、本実施形態では、図６（ａ）に示すように、シアン色光を発光する第２光源３
０Ａの光出射範囲をＢ，Ｇ，Ｒを含む白色光を発光する第１光源２９Ａの光出射範囲より
も広く設定した。これにより、主と成る白色光に混ざろうとするシアン色の混光を促進で
き、液晶パネルへムラの無い白色光を供給できる。この結果、液晶装置によって色ムラの
無いカラー表示を実現できる。
【０１１２】
なお、図２０（ａ）に示した例では、白色光源である第１光源２９Ａとシアン色光源で
ある第２光源３０Ａとを行方向Ｘで１つずつ交互に並べることにした。この配列態様に代
えて、図２０（ｂ）に示す配列態様を採用することもできる。この配列態様では、行方向
Ｘに沿って、１個の第２光源３０Ａに対して第１光源２９Ａを２個設けている。つまり、
一対の第２光源３０Ａの間に２個の第１光源２９Ａが設けられる配列となっている。また
、また、第２光源３０Ａは列方向Ｙに関しては直接には（すなわち、真横には）隣接しな
い配列となっている。
【０１１３】
（電子機器の実施形態）
次に、本発明に係る電子機器の実施形態を説明する。図２１は電子機器の一実施形態の
ブロック図を示している。ここに示す電子機器は、液晶装置１と、制御回路７０とを有す
る。液晶装置１は図１及び図２に示した液晶装置１と同じ構成の液晶装置であり、液晶パ
ネル２と照明装置３とを有している。
【０１１４】
制御回路７０は、表示画像出力源７１と、表示画像変換回路７２と、タイミングジェネ
レータ７３とを有する。電子機器において、入力されたＢ，Ｇ，Ｒの３色の画像信号がＢ
，Ｇ，Ｒ，Ｃの４色の画像信号に変換される場合、表示画像変換回路７２は、表示画像出
力源７１から出力されたＢ，Ｇ，Ｒの各色の画像信号を、Ｂ，Ｇ，Ｒ，Ｃの各色の画像信
号に変換して、液晶パネル２へ出力する機能を有する。
【０１１５】
表示画像変換回路７２は、ＣＰＵ（Central Processing Unit）等といった演算処理部
７２ａと、ＲＡＭ（Random Access Memory）等といった記憶部７２ｂとを有する。演算処
理部７２ａは、表示画像出力源７１から出力された入力画像のＢ，Ｇ，Ｒの各色の画像信
号を、Ｂ，Ｇ，Ｒ，Ｃの各色の画像信号に変換する。記憶部７２ｂには、所定の強度のＢ
，Ｇ，Ｒの各色の画像信号と、これに対応する強度のＢ，Ｇ，Ｒ，Ｃの各色の画像信号と
を対応させたＬＵＴ（Look Up Table）が格納されている。
【０１１６】
例えば、演算処理部７２ａに、シアンＣの色のみを表示させるＢ，Ｇ，Ｒの各色の画像
信号、例えばＢ＝１００、Ｇ＝１００、Ｒ＝０の強度のＢ，Ｇ，Ｒの各色の画像信号が入
力された場合、演算処理部７２ａは、このＢ，Ｇ，Ｒの各色の画像信号の強度に対応する
強度のＢ，Ｇ，Ｒ，Ｃの各色の画像信号（たとえば、Ｂ＝１０、Ｇ＝１０、Ｒ＝０、Ｃ＝
１００）を、記憶部７２ｂのＬＵＴから取得し、取得したＢ，Ｇ，Ｒの各色の画像信号を
液晶パネル２へ出力する。これにより、液晶パネル２の表示画面に、Ｂ，Ｇ，Ｒの各色に
加えてＣの色を表示できる。これにより、入力画像の画像信号として、Ｂ，Ｇ，Ｒの画像
信号が入力された場合においても、出力画像の色再現範囲をシアン系色の色再現範囲まで
拡大できる。
【０１１７】
タイミングジェネレータ７３は、タイミングモードを切り替えるためのハードスイッチ
又はソフトスイッチを有し、画像信号の輝度信号からクロック信号ＣＬＫを生成する。図
８のＬＥＤ駆動回路４７Ｂ，４７Ｇ，４７Ｒ，４７ｃは、タイミングジェネレータ７３に
よって決定されたクロック信号ＣＬＫに適合するように、駆動シーケンスが制御される。
【０１１８】
図２２（ａ）は、本発明に係る電子機器の他の一実施形態であるパーソナルコンピュー
タを示している。このパーソナルコンピュータ８０は、表示装置として機能する液晶装置
８１と、本体部８２とを有する。本体部８２にはキーボード８３が設けられている。液晶
装置８１は、図１に示した液晶装置１や、図１８に示した液晶装置５１とすることができ
る。明るい表示を希望する場合には、図１に示すサイドライト方式の液晶装置１よりも、
図１８に示す平面ライト方式の液晶装置５１を用いることが望ましい。
【０１１９】
図２２（ｂ）は、本発明に係る電子機器の他の実施形態である携帯電話機を示している
。ここに示す携帯電話機９０は、本体部９２と、これに開閉可能に設けられた表示体部９
３とを有する。表示体部９３には、液晶装置９１が表示装置として設けられている。液晶
装置９１は、図１に示した液晶装置１や、図１８に示した液晶装置５１とすることができ
る。携帯電話機９０を小型にしたい場合には、図１８に示す平面ライト方式の液晶装置５
１よりも、図１に示すサイドライト方式の液晶装置１を用いることが望ましい。
【０１２０】
本体部９２には操作ボタン９４及び送話部９５が設けられている。送話部９５の内部に
は、図示しないマイクが内蔵されている。表示体部９３の一部にはアンテナ９６が伸縮自
在に取り付けられている。表示体部９３の上部に設けられた受話部９７の内部には、図示
しないスピーカが配置される。液晶装置９１の動作を制御するための制御部は、携帯電話
機全体の制御を司る制御部の一部として、又はその制御部とは別に、本体部９２又は表示
体部９３の内部に格納されている。
【０１２１】
本発明に係る液晶装置１（図１参照）、液晶装置５１（図１８参照）等によれば、広い
色度域を持った表示を行うことができるので、それらの液晶装置を用いて構成された上記
の各電子機器においても、広い色度域を持った表示を行うことができる。
【０１２２】
（変形例）
本発明は、図２２（ａ）に示すパーソナルコンピュータや図２２（ｂ）に示す携帯電話
機以外の他の電子機器に適用できる。例えば、本発明は、液晶テレビ、ビューファインダ
型又はモニタ直視型のビデオテープレコーダ、カーナビゲーション装置、ページャ、電子
手帳、電卓、ワードプロセッサ、ワークステーション、テレビ電話、ＰＯＳ端末、デジタ
ルスチルカメラ等といった各種の電子機器に適用できる。
【図面の簡単な説明】
【０１２３】
【図１】本発明に係る照明装置及び液晶装置のそれぞれの一実施形態を示す平面図である。
【図２】図１に示す液晶パネルのＺ１−Ｚ１線に従った側面断面図及び照明装置のＺ２−Ｚ２線に従った側面断面図である。
【図３】（ａ）は図１に示す液晶装置で用いるカラーフィルタの分光分布特性を示す図であり、（ｂ）は図１に示す照明装置で用いる光源の分光分布特性を示す図である。
【図４】図１に示す照明装置で用いる光源部の一例を示す斜視図である。
【図５】図４に示す光源部で用いる第１光源及び第２光源のそれぞれの一例の側面断面図である。
【図６】図４に示す光源部の光出射範囲の特性に関する２つの例を示す図である。
【図７】図４に示す光源部から出射される光の色度特性を示す図である。
【図８】図４に示す光源部のための駆動回路の一例を示す回路図である。
【図９】図８に示す回路図の主要部を示す回路図である。
【図１０】図８に示す駆動回路の２つの動作例を示すタイミングチャートである。
【図１１】（ａ）は本発明に係る照明装置及び液晶装置の他の実施形態で用いられる光源部を示す斜視図であり、（ｂ）は（ａ）の光源部で用いられる第１光源の一例を示す側面断面図である。
【図１２】図１１（ａ）に示す光源部から出射される光の分光分布特性を示す図であり、（ａ）は第２光源を点灯しない状態、（ｂ）は第２光源を点灯した状態を示している。
【図１３】（ａ）は図１７（ａ）に示す光源部から出射される光の分光分布特性を示す図であり、（ｂ）は図１１（ａ）に示す光源部から出射される光の色度図を示す図である。
【図１４】図１１（ａ）に示す光源部のための駆動回路の一例を示す回路図である。
【図１５】図１４に示す駆動回路の２つの動作例を示すタイミングチャートである。
【図１６】（ａ）は図１１（ａ）に示す光源部の光出射範囲の特性を示す図であり、（ｂ）は図１７（ａ）に示す光源部の光出射範囲の特性を示す図である。
【図１７】（ａ）は本発明に係る照明装置及び液晶装置のさらに他の実施形態で用いられる光源部を示す斜視図であり、（ｂ）は（ａ）の光源部で用いられる第２光源の一例を示す側面断面図である。
【図１８】本発明に係る照明装置及び液晶装置のさらに他の実施形態を示す平面図である。
【図１９】図１８の照明装置及び液晶装置の分解側面図である。
【図２０】図１８に示す照明装置で用いる光源部における複数の光源の配列に関する２つの例を示す図である。
【図２１】本発明に係る電子機器の一実施形態を示すブロック図である。
【図２２】本発明に係る電子機器の他の実施形態を示す図であって、（ａ）はパーソナルコンピュータを示し、（ｂ）は携帯電話機を示している。
【符号の説明】
【０１２４】
１．液晶装置、  ２．液晶パネル、  ３．照明装置、  ４．素子基板、
４ａ．透光性基板、  ５．カラーフィルタ基板、  ５ａ．透光性基板、  ７．シール材、
８．液晶層、  ９ａ，９ｂ．偏光板、  １１．ソース線、  １２．ゲート線、
１２ａ．引回し配線、  １３．ＴＦＴ素子、  １４．画素電極、  １５．張出し部、
１６．外部接続用端子、  １７．駆動用ＩＣ、  １８．ＦＰＣ基板、  ２１．着色膜、
２２．オーバーコート膜、  ２３．共通電極、  ２４．配線、  ２６．導光体、
２６ａ．光入射面、  ２６ｂ．光反射面、  ２６ｃ．光出射面、
２７Ａ，２７Ｂ，２７Ｃ．光源部、  ２８．フレキシブル基板、
２９Ａ，２９Ｂ．第１光源、  ３０Ａ，３０Ｂ．第２光源、  ３１．絶縁基板、
３２Ｂ．青色ＬＥＤ（単色発光源）、  ３２Ｇ．緑色ＬＥＤ（単色発光源）、
３２Ｒ．赤色ＬＥＤ（単色発光源）、  ３２Ｃ．シアン色ＬＥＤ（単色発光源）、
３３，３４．電極、  ３９．絶縁体、  ４１．透明樹脂、  ４２．ＹＡＧ蛍光体、
４３．レンズ、  ４４．駆動回路、  ４９．パルス電圧発生回路、  ５１．液晶装置、
５２．液晶パネル、  ５３．照明装置、  ５４．光反射板、  ５５．光散乱板、
５６ａ，５６ｂ．集光板、  ５７．光源部、  ５８．フレキシブル基板、  ５９．筐体、
６２．発光要素、  ６３．単列の光源ユニット、  ７０．制御回路、
８０．パーソナルコンピュータ（電子機器）、  ８１．液晶装置、
９０．携帯電話機（電子機器）、  ９１．液晶装置、  Ｃ．隅の領域、  Ｄ．サブ画素、
Ｆ．額縁領域、  Ｇ．表示画素、  Ｒ０．電流制限抵抗、  Ｖ．表示領域
【図１】
2007287384.tif 000003
【図２】
2007287384.tif 000004
【図３】
2007287384.tif 000005
【図４】
2007287384.tif 000006
【図５】
2007287384.tif 000007
【図６】
2007287384.tif 000008
【図７】
2007287384.tif 000009
【図８】
2007287384.tif 000010
【図９】
2007287384.tif 000011
【図１０】
2007287384.tif 000012
【図１１】
2007287384.tif 000013
【図１２】
2007287384.tif 000014
【図１３】
2007287384.tif 000015
【図１４】
2007287384.tif 000016
【図１５】
2007287384.tif 000017
【図１６】
2007287384.tif 000018
【図１７】
2007287384.tif 000019
【図１８】
2007287384.tif 000020
【図１９】
2007287384.tif 000021
【図２０】
2007287384.tif 000022
【図２１】
2007287384.tif 000023
【図２２】
2007287384.tif 000024